(57)【要約】【課題】画像形成に用いられる現像液に対し、高い精度にて濃度の測定を可能とする。【解決手段】インクジェット記録装置であって、インクを吐出する記録ヘッドへ供給されるインクを貯留するタンクと、前記インクの流路が形成され、当該流路におけるインクの濃度を測定するための濃度測定部と、前記濃度測定部に形成された流路と前記タンクとにおいてインクを循環させるためのポンプと、前記濃度測定部によるインクの濃度の測定を制御する制御手段と、を備え、前記制御手段は、前記ポンプによるインクの循環が終了してから所定の時間間隔ごとに前記濃度測定部によるインクの濃度の測定を行わせ、最新の測定値と前回の測定との差が所定の閾値以下となった場合に、前記最新の測定値を出力値として決定する。【選択図】図１５
2019043094.tif 000002
【特許請求の範囲】
【請求項１】
インクジェット記録装置であって、
インクを吐出する記録ヘッドへ供給されるインクを貯留するタンクと、
前記インクの流路が形成され、当該流路におけるインクの濃度を測定するための濃度測定部と、
前記濃度測定部に形成された流路と前記タンクとにおいてインクを循環させるためのポンプと、
前記濃度測定部によるインクの濃度の測定を制御する制御手段と
を備え、
前記制御手段は、前記タンク内の圧力と、前記濃度測定部に形成された流路内の圧力との差が所定の閾値以下である際に、前記濃度測定部によるインクの濃度の測定を行わせることを特徴とするインクジェット記録装置。
【請求項２】
前記制御手段は、前記ポンプによるインクの循環が終了してから所定の時間が経過した場合に、前記タンク内の圧力と前記濃度測定部に形成された流路内の圧力との差が所定の閾値以下であるとして前記濃度測定部によるインクの濃度の測定を行わせることを特徴とする請求項１に記載のインクジェット記録装置。
【請求項３】
前記所定の時間は、インクの種類に応じて異なることを特徴とする請求項２に記載のインクジェット記録装置。
【請求項４】
前記濃度測定部に形成された流路内の圧力を測定する圧力測定手段を備え、
前記制御手段は、前記圧力測定手段による測定結果が所定の値を超えた場合に、前記濃度測定部によるインクの濃度の測定を行わせることを特徴とする請求項１に記載のインクジェット記録装置。
【請求項５】
インクジェット記録装置であって、
インクを吐出する記録ヘッドへ供給されるインクを貯留するタンクと、
前記インクの流路が形成され、当該流路におけるインクの濃度を測定するための濃度測定部と、
前記濃度測定部に形成された流路と前記タンクとにおいてインクを循環させるためのポンプと、
前記濃度測定部によるインクの濃度の測定を制御する制御手段と、
を備え、
前記制御手段は、前記ポンプによるインクの循環が終了してから所定の時間間隔ごとに前記濃度測定部によるインクの濃度の測定を行わせ、最新の測定値と前回の測定との差が所定の閾値以下となった場合に、前記最新の測定値を出力値として決定することを特徴とするインクジェット記録装置。
【請求項６】
前記タンクは、大気連通口を備えることを特徴とする請求項１乃至５のいずれか一項に記載のインクジェット記録装置。
【請求項７】
前記タンクに貯留されたインクの濃度を調整するための調整手段を備え、
前記調整手段は、前記濃度測定部にて測定した濃度に基づいて、前記タンク内のインクの濃度を調整することを特徴とする請求項１乃至６のいずれか一項に記載のインクジェット記録装置。
【請求項８】
前記調整手段は、
前記タンクにインクを供給する第１の供給部と、
前記タンクに貯留されたインクの濃度を希釈するための希釈水を供給する第２の供給部と
を備えることを特徴とする請求項７に記載のインクジェット記録装置。
【請求項９】
前記濃度測定部を介して、前記タンクに貯留されたインクを循環させるための第１の流路と、
前記濃度測定部を介さずに、前記タンクに貯留されたインクを循環させるための第２の流路と、
を備え、
前記制御手段は、前記第１の流路および前記第２の流路を切り替えて、インクを循環させ、
前記第２の流路における流量は、前記第１の流路における流量より大きいことを特徴とする請求項１乃至８のいずれか一項に記載のインクジェット記録装置。
【請求項１０】
前記濃度測定部は、
透明部材で構成され、インクの流路が形成されたセル部と、
前記セル部を通過するインクに対して光を照射する発光素子と、
前記セル部を介して透過した光を受光する受光素子と、
前記発光素子にて照射した光量と、前記受光素子にて受光した光量とに基づいて、前記インクの濃度を導出する導出部と
を備えることを特徴とする請求項１乃至９のいずれか一項に記載のインクジェット記録装置。
【請求項１１】
前記セル部に構成された流路において、前記発光素子により光が照射される位置は、他の位置よりも径が小さくなるように形成されることを特徴とする請求項１０に記載のインクジェット記録装置。
【請求項１２】
前記タンクに貯留されるインクの種類に応じて、前記発光素子にて照射される光の光量および前記発光素子により光が照射される位置の径が規定されることを特徴とする請求項１１に記載のインクジェット記録装置。
【請求項１３】
インクを吐出する記録ヘッドへ供給されるインクを貯留するタンクと、
前記インクの流路が形成され、当該流路におけるインクの濃度を測定するための濃度測定部と、
前記濃度測定部に形成された流路と前記タンクとにおいてインクを循環させるためのポンプと、
を備えたインクジェット記録装置の制御方法であって、
前記タンク内の圧力と、前記濃度測定部に形成された流路内の圧力との差が所定の閾値以下である際に、前記濃度測定部によるインクの濃度の測定が行われることを特徴とするインクジェット記録装置の制御方法。
【請求項１４】
インクを吐出する記録ヘッドへ供給されるインクを貯留するタンクと、
前記インクの流路が形成され、当該流路におけるインクの濃度を測定するための濃度測定部と、
前記濃度測定部に形成された流路と前記タンクとにおいてインクを循環させるためのポンプと、
を備えたインクジェット記録装置であって、
前記ポンプによるインクの循環が終了してから所定の時間間隔ごとに前記濃度測定部によるインクの濃度の測定が行われ、最新の測定値と前回の測定との差が所定の閾値以下となった場合に、前記最新の測定値が出力値として決定されることを特徴とするインクジェット記録装置の制御方法。
【発明の詳細な説明】
【技術分野】
【０００１】
本発明は、インクジェット記録装置およびその制御方法に関する。
【背景技術】
【０００２】
特許文献１には、タンク内に貯留された現像液に、ある一定の割合で希釈液を混合させ、透過光量が測定できる範囲内の濃度にまで希釈したトナー濃度検出用現像液を生成し、透明セル部において、透過光量を測定する方法が開示されている。
【先行技術文献】
【特許文献】
【０００３】
【特許文献１】特開平１１−１９８３９８号公報
【発明の概要】
【発明が解決しようとする課題】
【０００４】
しかしながら、特許文献１の測定方法で、インクジェット記録装置における画像形成に用いられるインクの濃度を測定した場合、実際に画像形成で使用するインクに希釈液を混合させることになるため、インクの濃度検出に対して、希釈液の混合誤差、および、インクと希釈液の透過光量の換算誤差という２つの濃度検出誤差が発生しうる。その結果、実際に使用するインクそのものの濃度を測定するものでは無く、その測定において、十分な精度を得ることができないおそれがあった。また、特許文献１の方法では、濃度検出に用いられているインクの無駄が生じるおそれがあった。
【０００５】
これに対し、希釈液を用いずに、画像形成に用いられるインクそのものの濃度を測定する方法として、濃度測定を行うインクの流路に光が透過できるほどの狭部を設け、その狭部に光を照射し、その透過光から濃度を測定する方法がある。
【０００６】
ここで、一般にインクの吸収率（以下、吸光度）Ａｂｓは、濃度と光路長に比例する。ここでの光路長とは、光を照射する上記狭部の幅に対応する。これを式で表すと、
Ａｂｓ＝定数１×濃度×光路長    ・・・（１）
となる。
【０００７】
一方、吸光度の測定において光路に入る前の入射光量をＩｉｎ、光路透過後の光量をＩｏｕｔとすると、
Ａｂｓ＝（−１）×ｌｏｇ（Ｉｏｕｔ／Ｉｉｎ）    ・・・（２）
の関係がある。ここで、ｌｏｇは１０を底とする常用対数である。ただし、実際のＩｉｎは、光路（狭部）をインク成分の無い水で満たした時の光量をＩｉｎとし、光路を測定するインクで満たした時の光量を測定したものをＩｏｕｔとしている。
【０００８】
式（１）、（２）により、光路長のずれは吸光度の測定結果に対して、指数的に影響を与えることがわかる。
【０００９】
また、光路長を小さくした場合、流路に対するインクの置換時において、循環のためのポンプ動作により流路に負圧が発生する。その結果、発生した負圧により流路の形状（すなわち、光路の形状）が変形し、正しい吸光度が測定できないこととなる。
【００１０】
そこで、本発明では、上記問題を踏まえたインクの濃度を高精度に測定することを目的とする。
【課題を解決するための手段】
【００１１】
上記課題を解決するために本発明は以下の構成を有する。すなわち、インクジェット記録装置であって、インクを吐出する記録ヘッドへ供給されるインクを貯留するタンクと、前記インクの流路が形成され、当該流路におけるインクの濃度を測定するための濃度測定部と、前記濃度測定部に形成された流路と前記タンクとにおいてインクを循環させるためのポンプと、前記濃度測定部によるインクの濃度の測定を制御する制御手段と、を備え、前記制御手段は、前記ポンプによるインクの循環が終了してから所定の時間間隔ごとに前記濃度測定部によるインクの濃度の測定を行わせ、最新の測定値と前回の測定との差が所定の閾値以下となった場合に、前記最新の測定値を出力値として決定する。
【発明の効果】
【００１２】
本発明により、画像形成に用いられるインクの濃度を高精度に測定可能とする。
【図面の簡単な説明】
【００１３】
【図１】記録システムの概要図である。
【図２】記録ユニットの斜視図である。
【図３】図１の記録システムの制御系のブロック図である。
【図４】図１の記録システムの制御系のブロック図である。
【図５】記録ヘッドの構成例を示す斜視図である。
【図６】記録ヘッドをインクが循環する機構を説明するための図である。
【図７】記録ヘッドとバッファタンクとの間のインク循環機構を示す図である。
【図８】記録ヘッド内のインクの循環方向を説明する図である。
【図９】本発明に係る濃度測定部の概略構成を示す図である。
【図１０】本発明に係る濃度測定部のセル部周辺の構成例を説明するための図である。
【図１１】第１の実施形態に係るインクの流路を説明するための図である。
【図１２】第１の実施形態に係るインクの流路の切り替えを説明するための図である。
【図１３】セル部における光路の形状の変化を説明するための図である。
【図１４】光路長と透過光量との関係を説明するための図である。
【図１５】第１の実施形態に係る測定動作の処理のフローチャートである。
【図１６】セル部における圧力と透過光量との関係を説明するための図である。
【図１７】第２の実施形態に係る測定動作の処理のフローチャートである。
【図１８】第３の実施形態に係る測定動作の処理のフローチャートである。
【図１９】時間の経過に伴う透過光量の変化を説明するための図である。
【発明を実施するための形態】
【００１４】
図面を参照して本発明の実施形態について説明する。各図において、矢印ＸおよびＹは水平方向を示し、互いに直交する。矢印Ｚは上下方向を示す。
【００１５】
＜記録システム＞
図１は本発明の一実施形態に係る記録システム１を概略的に示した正面図である。記録システム１は、転写体２を介して記録媒体Ｐにインク像を転写することで記録物Ｐ’を製造する、枚葉式のインクジェットプリンタである。記録システム１は、記録装置１Ａと、搬送装置１Ｂとを含む。本実施形態では、Ｘ方向、Ｙ方向、Ｚ方向が、それぞれ、記録システム１の幅方向（全長方向）、奥行き方向、高さ方向を示している。記録媒体ＰはＸ方向に搬送される。
【００１６】
なお、「記録」には、文字、図形等有意の情報を形成する場合のみならず、有意無意を問わず、広く記録媒体上に画像、模様、パターン等を形成する、又は媒体の加工を行う場合も含まれ、人間が視覚で知覚し得るように顕在化したものであるか否かを問わない。また、本実施形態では「記録媒体」としてシート状の紙を想定するが、布、プラスチック・フィルム等であってもよい。
【００１７】
インクの成分については、特に限定はないが、本実施形態では、色材である顔料、水、樹脂を含む水性顔料インクを用いる場合を想定する。
【００１８】
＜記録装置＞
記録装置１Ａは、記録ユニット３、転写ユニット４および周辺ユニット５Ａ〜５Ｄ、および、供給ユニット６を含む。
【００１９】
＜記録ユニット＞
記録ユニット３は、複数の記録ヘッド３０と、キャリッジ３１とを含む。図１と図２を参照する。図２は記録ユニット３の斜視図である。記録ヘッド３０は、転写体２に液体インクを吐出し、転写体２上に記録画像のインク像を形成する。
【００２０】
本実施形態の場合、各記録ヘッド３０は、Ｙ方向に延設されたフルラインヘッドであり、使用可能な最大サイズの記録媒体の画像記録領域の幅分をカバーする範囲にノズルが配列されている。記録ヘッド３０は、その下面に、ノズルが開口したインク吐出面を有しており、インク吐出面は、微小隙間（例えば数ｍｍ）を介して転写体２の表面と対向している。本実施形態の場合、転写体２は円軌道上を循環的に移動する構成であるため、複数の記録ヘッド３０は、放射状に配置されている。
【００２１】
各ノズルには吐出素子が設けられている。吐出素子は、例えば、ノズル内に圧力を発生させてノズル内のインクを吐出させる素子であり、公知のインクジェットプリンタのインクジェットヘッドの技術が適用可能である。吐出素子としては、例えば電気−熱変換体によりインクに膜沸騰を生じさせ気泡を形成することでインクを吐出する素子、電気−機械変換体によってインクを吐出する素子、静電気を利用してインクを吐出する素子等が挙げられる。高速で高密度の記録の観点からは電気−熱変換体を利用した吐出素子を用いることができる。
【００２２】
本実施形態の場合、記録ヘッド３０は、９つ設けられている。各記録ヘッド３０は、互いに異なる種類のインクを吐出する。異なる種類のインクとは、例えば、色材が異なるインクであり、イエローインク、マゼンタインク、シアンインク、ブラックインク等のインクである。１つの記録ヘッド３０は１種類のインクを吐出するが、１つの記録ヘッド３０が複数種類のインクを吐出する構成であってもよい。このように複数の記録ヘッド３０を設けた場合、そのうちの一部が色材を含まないインク（例えばクリアインク）を吐出してもよい。
【００２３】
キャリッジ３１は、複数の記録ヘッド３０を支持する。各記録ヘッド３０は、インク吐出面側の端部がキャリッジ３１に固定されている。これにより、インク吐出面と転写体２との表面の隙間をより精密に維持することができる。キャリッジ３１は、案内部材ＲＬの案内によって、記録ヘッド３０を搭載しつつ変位可能に構成されている。本実施形態の場合、案内部材ＲＬは、Ｙ方向に延設されたレール部材であり、Ｘ方向に離間して一対設けられている。キャリッジ３１のＸ方向の各側部にはスライド部３２が設けられている。スライド部３２は案内部材ＲＬと係合し、案内部材ＲＬに沿ってＹ方向にスライドする。
【００２４】
＜転写ユニット＞
図１を参照して転写ユニット４について説明する。転写ユニット４は、転写ドラム（転写胴）４１と圧胴４２とを含む。これらの胴は、Ｙ方向の回転軸周りに回転する回転体であり、円筒形状の外周面を有している。図１において、転写ドラム４１および圧胴４２の各図形内に示した矢印は、これらの回転方向を示しており、転写ドラム４１は時計回りに、圧胴４２は反時計回りに回転する。
【００２５】
転写ドラム４１は、その外周面に転写体２を支持する支持体である。転写体２は、転写ドラム４１の外周面上に、周方向に連続的にあるいは間欠的に設けられる。連続的に設けられる場合、転写体２は無端の帯状に形成される。間欠的に設けられる場合、転写体２は、有端の帯状に複数のセグメントに分けて形成され、各セグメントは転写ドラム４１の外周面に等ピッチで円弧状に配置することができる。
【００２６】
転写ドラム４１の回転により、転写体２は円軌道上を循環的に移動する。転写ドラム４１の回転位相により、転写体２の位置は、吐出前処理領域Ｒ１、吐出領域Ｒ２、吐出後処理領域Ｒ３およびＲ４、転写領域Ｒ５、転写後処理領域Ｒ６に区別することができる。転写体２はこれらの領域を循環的に通過する。
【００２７】
吐出前処理領域Ｒ１は、記録ユニット３によるインクの吐出前に転写体２に対する前処理を行う領域であり、周辺ユニット５Ａによる処理が行われる領域である。本実施形態の場合、反応液が付与される。吐出領域Ｒ２は記録ユニット３が転写体２にインクを吐出してインク像を形成する形成領域である。吐出後処理領域Ｒ３およびＲ４はインクの吐出後にインク像に対する処理を行う処理領域であり、吐出後処理領域Ｒ３は周辺ユニット５Ｂによる処理が行われる領域であり、吐出後処理領域Ｒ４は周辺ユニット５Ｃによる処理が行われる領域である。転写領域Ｒ５は転写ユニット４により転写体２上のインク像が記録媒体Ｐに転写される領域である。転写後処理領域Ｒ６は、転写後に転写体２に対する後処理を行う領域であり、周辺ユニット５Ｄによる処理が行われる領域である。
【００２８】
本実施形態の場合、吐出領域Ｒ２は、一定の区間を有する領域である。他の領域Ｒ１、Ｒ３〜Ｒ６は、吐出領域Ｒ２に比べるとその区間は狭い。時計の文字盤に喩えると、本実施形態の場合、吐出前処理領域Ｒ１は概ね１０時の位置であり、吐出領域Ｒ２は概ね１１時から１時の範囲であり、吐出後処理領域Ｒ３は概ね２時の位置であり、吐出後処理領域Ｒ４は概ね４時の位置である。転写領域Ｒ５は概ね６時の位置であり、転写後処理領域Ｒ６は概ね８時の領域である。
【００２９】
転写体２は、単層から構成してもよいが、複数層の積層体としてもよい。複数層で構成する場合、例えば、表面層、弾性層、圧縮層の三層を含んでもよい。表面層はインク像が形成される画像形成面を有する最外層である。圧縮層を設けることで、圧縮層が変形を吸収し、局所的な圧力変動に対してその変動を分散し、高速記録時においても転写性を維持することができる。弾性層は表面層と圧縮層との間の層である。
【００３０】
表面層の材料としては、樹脂、セラミック等各種材料を適宜用いることができるが、耐久性等の点で圧縮弾性率の高い材料を用いることができる。具体的には、アクリル樹脂、アクリルシリコーン樹脂、フッ素含有樹脂、加水分解性有機ケイ素化合物を縮合して得られる縮合物等が挙げられる。表面層には、反応液の濡れ性、画像の転写性等を向上させるために、表面処理を施して用いてもよい。表面処理としては、フレーム処理、コロナ処理、プラズマ処理、研磨処理、粗化処理、活性エネルギー線照射処理、オゾン処理、界面活性剤処理、シランカップリング処理などが挙げられる。これらを複数組み合わせてもよい。また、表面層に任意の表面形状を設けることもできる。
【００３１】
圧縮層の材料としては、例えばアクリロニトリル−ブタジエンゴム、アクリルゴム、クロロプレンゴム、ウレタンゴム、シリコーンゴム等が挙げられる。このようなゴム材料の成形時には、所定量の加硫剤、加硫促進剤等を配合し、さらに発泡剤、中空微粒子或いは食塩等の充填剤を必要に応じて配合し、多孔質のゴム材料としてもよい。これにより、様々な圧力変動に対して気泡部分が体積変化を伴って圧縮されるため、圧縮方向以外への変形が小さく、より安定した転写性、耐久性を得ることができる。多孔質のゴム材料としては、各気孔が互いに連続した連続気孔構造のものと、各気孔がそれぞれ独立した独立気孔構造のものがあるが、いずれの構造であってもよく、これらの構造を併用してもよい。
【００３２】
弾性層の部材としては、樹脂、セラミック等、各種材料を適宜用いることができる。加工特性等の点で、各種エラストマー材料、ゴム材料を用いることができる。具体的には、例えばフルオロシリコーンゴム、フェニルシリコーンゴム、フッ素ゴム、クロロプレンゴム、ウレタンゴム、ニトリルゴム等が挙げられる。また、エチレンプロピレンゴム、天然ゴム、スチレンゴム、イソプレンゴム、ブタジエンゴム、エチレン／プロピレン／ブタジエンのコポリマー、ニトリルブタジエンゴム等が挙げられる。特に、シリコーンゴム、フルオロシリコーンゴム、フェニルシリコーンゴムは、圧縮永久ひずみが小さいため、寸法安定性、耐久性の面で有利である。また、温度による弾性率の変化が小さく、転写性の点でも有利である。
【００３３】
表面層と弾性層の間、弾性層と圧縮層の間には、これらを固定するために各種接着剤や両面テープを用いることもできる。また、転写体２は、転写ドラム４１に装着する際の横伸びの抑制や、コシを保つために圧縮弾性率が高い補強層を含んでもよい。また、織布を補強層としてもよい。転写体２は前記材質による各層を任意に組み合わせて作製することができる。
【００３４】
圧胴４２は、その外周面が転写体２に圧接される。圧胴４２の外周面には、記録媒体Ｐの先端部を保持するグリップ機構が少なくとも一つ設けられている。グリップ機構は圧胴４２の周方向に離間して複数設けてもよい。記録媒体Ｐは圧胴４２の外周面に密接して搬送されつつ、圧胴４２と転写体２とのニップ部を通過するときに、転写体２上のインク像が転写される。
転写ドラム４１と圧胴４２とを駆動するモータ等の駆動源は、これらに共通とし、歯車機構等の伝達機構により、駆動力を分配することができる。
【００３５】
＜周辺ユニット＞
周辺ユニット５Ａ〜５Ｄは転写ドラム４１の周囲に配置されている。本実施形態の場合、周辺ユニット５Ａ〜５Ｄは、順に、付与ユニット、吸収ユニット、加熱ユニット、清掃ユニットである。
【００３６】
付与ユニット５Ａは、記録ユニット３によるインクの吐出前に、転写体２上に反応液を付与する機構である。反応液は、インクを高粘度化する成分を含有する液体である。ここで、インクの高粘度化とは、インクを構成している色材や樹脂等がインクを高粘度化する成分と接触することによって化学的に反応し、あるいは物理的に吸着し、これによってインクの粘度の上昇が認められることである。このインクの高粘度化には、インク全体の粘度上昇が認められる場合のみならず、色材や樹脂等のインクを構成する成分の一部が凝集することにより局所的に粘度の上昇が生じる場合も含まれる。
【００３７】
インクを高粘度化する成分は、金属イオン、高分子凝集剤など、特に制限はないが、インクのｐＨ変化を引き起こして、インク中の色材を凝集させる物質を用いることができ、有機酸を用いることができる。反応液の付与機構としては、例えば、ローラ、記録ヘッド、ダイコーティング装置（ダイコータ）、ブレードコーティング装置（ブレードコータ）などが挙げられる。転写体２に対するインクの吐出前に反応液を転写体２に付与しておくと、転写体２に達したインクを直ちに定着させることができる。これにより、隣接するインク同士が混ざり合うブリーディングを抑制することができる。
【００３８】
吸収ユニット５Ｂは、転写前に、転写体２上のインク像から液体成分を吸収する機構である。インク像の液体成分を減少させることで、記録媒体Ｐに記録される画像のにじみ等を抑制することができる。液体成分の減少を異なる視点で説明すれば、転写体２上のインク像を構成するインクを濃縮すると表現することもできる。インクを濃縮するとは、インクに含まれる液体成分が減少することによって、インクに含まれる色材や樹脂といった固形分の液体成分に対する含有割合が増加することを意味する。
【００３９】
吸収ユニット５Ｂは、例えば、インク像に接触してインク像の液体成分の量を減少させる液吸収部材を含む。液吸収部材はローラの外周面に形成されてもよいし、液吸収部材が無端のシート状に形成され、循環的に走行されるものでもよい。インク像の保護の点で、液吸収部材の移動速度を転写体２の周速度と同じにして液吸収部材を転写体２と同期して移動させてもよい。
【００４０】
液吸収部材は、インク像に接触する多孔質体を含んでもよい。液吸収部材へのインク固形分付着を抑制するため、インク像に接触する面の多孔質体の孔径は、１０μｍ以下であってもよい。ここで、孔径とは平均直径のことを示し、公知の手段、例えば水銀圧入法や、窒素吸着法、ＳＥＭ画像観察等で測定可能である。なお、液体成分は、一定の形を有さず、流動性があり、ほぼ一定の体積を有するものであれば、特に限定されるものではない。例えば、インクや反応液に含まれる水や有機溶媒等が液体成分として挙げられる。
【００４１】
加熱ユニット５Ｃは、転写前に、転写体２上のインク像を加熱する機構である。インク像を加熱することで、インク像中の樹脂が溶融し、記録媒体Ｐへの転写性を向上する。加熱温度は、樹脂の最低造膜温度（ＭＦＴ）以上とすることができる。ＭＦＴは一般的に知られている手法、例えばＪＩＳ  Ｋ  ６８２８−２：２００３や、ＩＳＯ２１１５：１９９６に準拠した各装置で測定することが可能である。転写性及び画像の堅牢性の観点から、ＭＦＴよりも１０℃以上高い温度で加熱してもよく、更に、２０℃以上高い温度で加熱してもよい。加熱ユニット５Ｃは、例えば、赤外線等の各種ランプ、温風ファン等、公知の加熱デバイスを用いることができる。加熱効率の点で、赤外線ヒータを用いることができる。
【００４２】
清掃ユニット５Ｄは、転写後に転写体２上を清掃する機構である。清掃ユニット５Ｄは、転写体２上に残留したインクや、転写体２上のごみ等を除去する。清掃ユニット５Ｄは、例えば、多孔質部材を転写体２に接触させる方式、ブラシで転写体２の表面を擦る方式、ブレードで転写体２の表面をかきとる方式等の公知の方式を適宜用いることができる。また、清掃に用いる清掃部材は、ローラ形状、ウェブ形状等、公知の形状を用いることができる。
【００４３】
以上の通り、本実施形態では、付与ユニット５Ａ、吸収ユニット５Ｂ、加熱ユニット５Ｃ、清掃ユニット５Ｄを周辺ユニットとして備えるが、これらの一部のユニットに転写体２の冷却機能を付与するか、あるいは、冷却ユニットを追加してもよい。本実施形態では、加熱ユニット５Ｃの熱により転写体２の温度が上昇する場合がある。記録ユニット３により転写体２にインクを吐出した後、インク像がインクの主溶剤である水の沸点を超えると、吸収ユニット５Ｂによる液体成分の吸収性能が低下する場合がある。吐出されたインクが水の沸点未満に維持されるように転写体２を冷却することで、液体成分の吸収性能を維持することができる。
【００４４】
冷却ユニットは、転写体２に送風する送風機構や、転写体２に部材（例えばローラ）を接触させ、この部材を空冷または水冷で冷却する機構であってもよい。また、清掃ユニット５Ｄの清掃部材を冷却する機構であってもよい。冷却タイミングは、転写後、反応液の付与前までの期間であってもよい。
【００４５】
＜供給ユニット＞
供給ユニット６は、記録ユニット３の各記録ヘッド３０にインクを供給する機構である。供給ユニット６は記録システム１の後部側に設けられていてもよい。供給ユニット６は、インクの種類毎に、インクを貯留する貯留部ＴＫを備える。貯留部ＴＫは、メインタンクとサブタンクとによって構成されてもよい。各貯留部ＴＫと各記録ヘッド３０とは流路６ａで連通し、貯留部ＴＫから記録ヘッド３０へインクが供給される。流路６ａは、貯留部ＴＫと記録ヘッド３０との間でインクを循環させる流路であってもよく、供給ユニット６はインクを循環させるポンプ等を備えてもよい。流路６ａの途中または貯留部ＴＫには、インク中の気泡を脱気する脱気機構を設けてもよい。流路６ａの途中または貯留部ＴＫには、インクの液圧と大気圧との調整を行うバルブを設けてもよい。貯留部ＴＫ内のインク液面が、記録ヘッド３０のインク吐出面よりも低い位置となるように、貯留部ＴＫと記録ヘッド３０のＺ方向の高さが設計されてもよい。
【００４６】
＜搬送装置＞
搬送装置１Ｂは、記録媒体Ｐを転写ユニット４へ給送し、インク像が転写された記録物Ｐ’を転写ユニット４から排出する装置である。搬送装置１Ｂは、給送ユニット７、複数の搬送胴８、８ａ、二つのスプロケット８ｂ、チェーン８ｃおよび回収ユニット８ｄを含む。図１において、搬送装置１Ｂの各構成の図形の内側の矢印はその構成の回転方向を示し、外側の矢印は記録媒体Ｐまたは記録物Ｐ’の搬送経路を示している。記録媒体Ｐは給送ユニット７から転写ユニット４へ搬送され、記録物Ｐ’は転写ユニット４から回収ユニット８ｄへ搬送される。給送ユニット７側を搬送方向で上流側と呼び、回収ユニット８ｄ側を下流側と呼ぶ場合がある。
【００４７】
給送ユニット７は、複数の記録媒体Ｐが積載される積載部を含むと共に、積載部から一枚ずつ記録媒体Ｐを、最上流の搬送胴８に給送する給送機構を含む。各搬送胴８、８ａはＹ方向の回転軸周りに回転する回転体であり、円筒形状の外周面を有している。各搬送胴８、８ａの外周面には、記録媒体Ｐ（または記録物Ｐ’）の先端部を保持するグリップ機構が少なくとも一つ設けられている。各グリップ機構は、隣接する搬送胴間で記録媒体Ｐを受け渡されるように、その把持動作および解除動作が制御される。
【００４８】
二つの搬送胴８ａは、記録媒体Ｐの反転用の搬送胴である。記録媒体Ｐを両面記録する場合、表面への転写後に、圧胴４２から下流側に隣接する搬送胴８へ記録媒体Ｐを渡さずに、搬送胴８ａに渡す。記録媒体Ｐは、二つの搬送胴８ａを経由して表裏が反転され、圧胴４２の上流側の搬送胴８を経由して再び圧胴４２へ渡される。これにより、記録媒体Ｐの裏面が転写ドラム４１に面することになり、裏面にインク像が転写される。
【００４９】
チェーン８ｃは、二つのスプロケット８ｂ間に巻き回されている。二つのスプロケット８ｂの一方は駆動スプロケットであり他方は従動スプロケットである。駆動スプロケットの回転によりチェーン８ｃが循環的に走行する。チェーン８ｃには、その長手方向に離間して複数のグリップ機構が設けられている。グリップ機構は、記録物Ｐ’の端部を把持する。下流端に位置する搬送胴８からチェーン８ｃのグリップ機構に記録物Ｐ’が渡され、グリップ機構に把持された記録物Ｐ’はチェーン８ｃの走行により回収ユニット８ｄへ搬送され、把持が解除される。これにより記録物Ｐ’が回収ユニット８ｄ内に積載される。
【００５０】
＜後処理ユニット＞
搬送装置１Ｂには、後処理ユニット１０Ａ、１０Ｂが設けられている。後処理ユニット１０Ａ、１０Ｂは転写ユニット４よりも下流側に配置され、記録物Ｐ’に対して後処理を行う機構である。後処理ユニット１０Ａは、記録物Ｐ’の表面に対する処理を行い、後処理ユニット１０Ｂは、記録物Ｐ’の裏面に対する処理を行う。処理の内容としては、例えば、記録物Ｐ’の画像記録面に、画像の保護や艶出し等を目的としたコーティングを挙げることができる。コーティングの内容としては、例えば、液体の塗布、シートの溶着、ラミネート等を挙げることができる。
【００５１】
＜検査ユニット＞
搬送装置１Ｂには、検査ユニット９Ａ、９Ｂが設けられている。検査ユニット９Ａ、９Ｂは転写ユニット４よりも下流側に配置され、記録物Ｐ’の検査を行う機構である。
【００５２】
本実施形態の場合、検査ユニット９Ａは、記録物Ｐ’に記録された画像を撮影する撮影装置であり、例えば、ＣＣＤセンサやＣＭＯＳセンサ等の撮像素子を含む。検査ユニット９Ａは、連続的に行われる記録動作中に、記録画像を撮影する。検査ユニット９Ａが撮影した画像に基づいて、記録画像の色味などの経時変化を確認し、画像データあるいは記録データの補正の可否を判断することができる。本実施形態の場合、検査ユニット９Ａは、圧胴４２の外周面に撮像範囲が設定されており、転写直後の記録画像を部分的に撮影可能に配置されている。検査ユニット９Ａにより全ての記録画像の検査を行ってもよいし、所定数毎に検査を行ってもよい。
【００５３】
本実施形態の場合、検査ユニット９Ｂも、記録物Ｐ’に記録された画像を撮影する撮影装置であり、例えば、ＣＣＤセンサやＣＭＯＳセンサ等の撮像素子を含む。検査ユニット９Ｂは、テスト記録動作において記録画像を撮影する。検査ユニット９Ｂは、記録画像の全体を撮影し、検査ユニット９Ｂが撮影した画像に基づいて、記録データに関する各種の補正の基本設定を行うことができる。本実施形態の場合、チェーン８ｃで搬送される記録物Ｐ’を撮影する位置に配置されている。検査ユニット９Ｂにより記録画像を撮影する場合、チェーン８ｃの走行を一時的に停止して、その全体を撮影する。検査ユニット９Ｂは、記録物Ｐ’上を走査するスキャナであってもよい。
【００５４】
＜制御ユニット＞
次に、記録システム１の制御ユニットについて説明する。図３および図４は記録システム１の制御ユニット１３のブロック図である。制御ユニット１３は、上位装置（ＤＦＥ）ＨＣ２に通信可能に接続され、また、上位装置ＨＣ２はホスト装置ＨＣ１に通信可能に接続される。
【００５５】
ホスト装置ＨＣ１では、記録画像の元になる原稿データが生成、あるいは保存される。ここでの原稿データは、例えば、文書ファイルや画像ファイル等の電子ファイルの形式で生成される。この原稿データは、上位装置ＨＣ２へ送信され、上位装置ＨＣ２では、受信した原稿データを制御ユニット１３で利用可能なデータ形式（例えば、ＲＧＢで画像を表現するＲＧＢデータ）に変換する。変換後のデータは、画像データとして上位装置ＨＣ２から制御ユニット１３へ送信され、制御ユニット１３は受信した画像データに基づき、記録動作を開始する。
【００５６】
本実施形態の場合、制御ユニット１３は、メインコントローラ１３Ａと、エンジンコントローラ１３Ｂとに大別される。メインコントローラ１３Ａは、処理部１３１、記憶部１３２、操作部１３３、画像処理部１３４、通信Ｉ／Ｆ（インタフェース）１３５、バッファ１３６および通信Ｉ／Ｆ１３７を含む。
【００５７】
処理部１３１は、ＣＰＵ等のプロセッサであり、記憶部１３２に記憶されたプログラムを実行し、メインコントローラ１３Ａ全体の制御を行う。記憶部１３２は、ＲＡＭ、ＲＯＭ、ハードディスク、ＳＳＤ等の記憶デバイスであり、処理部１３１が実行するプログラムや、データを格納し、また、処理部１３１にワークエリアを提供する。操作部１３３は、例えば、タッチパネル、キーボード、マウス等の入力デバイスであり、ユーザの指示を受け付ける。
【００５８】
画像処理部１３４は例えば画像処理プロセッサを有する電子回路である。バッファ１３６は、例えば、ＲＡＭ、ハードディスクやＳＳＤである。通信Ｉ／Ｆ１３５は上位装置ＨＣ２との通信を行い、通信Ｉ／Ｆ１３７はエンジンコントローラ１３Ｂとの通信を行う。図３において破線矢印は、画像データの処理の流れを例示している。上位装置ＨＣ２から通信Ｉ／Ｆ１３５を介して受信された画像データは、バッファ１３６に蓄積される。画像処理部１３４はバッファ１３６から画像データを読み出し、読み出した画像データに所定の画像処理を施して、再びバッファ１３６に格納する。バッファ１３６に格納された画像処理後の画像データは、プリントエンジンが用いる記録データとして、通信Ｉ／Ｆ１３７からエンジンコントローラ１３Ｂへ送信される。
【００５９】
図４に示すように、エンジンコントローラ１３Ｂは、制御部１４、１５Ａ〜１５Ｅを含み、記録システム１が備えるセンサ群およびアクチュエータ群１６の検知結果の取得および駆動制御を行う。これらの各制御部は、ＣＰＵ等のプロセッサ、ＲＡＭやＲＯＭ等の記憶デバイス、外部デバイスとのインタフェースを含む。なお、制御部の区分けは一例であり、一部の制御を更に細分化した複数の制御部で実行してもよいし、逆に、複数の制御部を統合して、それらの制御内容を一つの制御部で行うように構成してもよい。
【００６０】
エンジン制御部１４は、エンジンコントローラ１３Ｂの全体の制御を行う。記録制御部１５Ａは、メインコントローラ１３Ａから受信した記録データをラスタデータ等、記録ヘッド３０の駆動に適したデータ形式に変換する。記録制御部１５Ａは、各記録ヘッド３０の吐出制御を行う。
【００６１】
転写制御部１５Ｂは、付与ユニット５Ａの制御、吸収ユニット５Ｂの制御、加熱ユニット５Ｃの制御、および清掃ユニット５Ｄの制御を行う。
【００６２】
信頼性制御部１５Ｃは、供給ユニット６の制御、回復ユニット１２の制御、および記録ユニット３を吐出位置ＰＯＳ１と回復位置ＰＯＳ３との間で移動させる駆動機構の制御を行う。
【００６３】
搬送制御部１５Ｄは、転写ユニット４の駆動制御や、搬送装置１Ｂの制御を行う。検査制御部１５Ｅは、検査ユニット９Ｂの制御、および検査ユニット９Ａの制御を行う。
【００６４】
センサ群およびアクチュエータ群１６のうち、センサ群には、可動部の位置や速度を検知するセンサ、温度を検知するセンサ、撮像素子等が含まれる。アクチュエータ群にはモータ、電磁ソレノイド、電磁バルブ等が含まれる。
【００６５】
次に以上のような構成の記録システムにおいて、記録ヘッド３０とインクタンクとの間のインク循環機構について説明する。
【００６６】
＜インク循環機構の詳細説明＞
［記録ヘッドの詳細な構成］
図５は記録ヘッド３０の構成を示す斜視図である。
【００６７】
図５（ａ）は、記録ヘッド３０を斜め下方より眺めた斜視図であり、図５（ｂ）は記録ヘッド３０を斜め上方より眺めた斜視図である。
【００６８】
記録ヘッド３０は１つの素子基板１０で１色のインクを吐出可能な素子基板１０を直線上に１５個配列（インラインに配置）し、記録媒体の幅に相当する記録幅を備えたフルライン記録ヘッドである。
【００６９】
図５（ａ）に示すように、記録ヘッド３０の両端部に設けられた接続部１１１は、記録装置のインク供給機構と接続される。これにより、インクがインク供給機構から記録ヘッド３０に供給され、また記録ヘッド３０内を通ったインクがインク供給機構へと回収されるようになっている。このように、インクはインク供給機構の経路と記録ヘッド３０の経路を介して循環可能である。
【００７０】
図５（ｂ）に示すように、記録ヘッド３０には、各素子基板１０とフレキシブル配線基板４０と電気配線基板９０を介して電気的に接続された信号入力端子９１と電力供給端子９２を備える。信号入力端子９１及び電力供給端子９２は記録装置の記録制御部１５Ａと電気的に接続され、それぞれ、駆動信号及び吐出に必要な電力を素子基板１０に供給する。電気配線基板９０内の電気回路によって配線を集約することで、信号入力端子９１及び電力供給端子９２の数を素子基板１０の数に比べて少なくできる。これにより、記録ユニット３に対して記録ヘッド３０を取り付ける時又は記録ヘッド３０の交換時に取り外しが必要な電気接続部の数が少なくて済む。
【００７１】
［記録ヘッドのインク循環流路］
図６は、記録ヘッド３０をインクが循環する機構を説明する図である。
【００７２】
図６（ａ）は、液体吐出ユニット３００、液体供給ユニット２２０及び負圧制御ユニット２３０を備える記録ヘッド３０の側面図である。図６（ｂ）は、液体の流れを示す概略図である。図６（ｃ）は、図６（ａ）のＧ−Ｇ線部における断面を示す斜視図である。
【００７３】
図６（ａ）に示されているように、負圧制御ユニット２３０が液体供給ユニット２２０の下方に一体化して形成されている。また、液体供給ユニット２２０には、流路部材６０が、さらにその下方には別の流路部材５０が取り付けられている。これら２つの流路部材５０、６０は液体吐出ユニット３００の一部を構成する。さらに、図６（ｂ）に示すように、液体供給ユニット２２０内には接続部１１１とフィルタ２２１が設けられる。このような構成によって負圧制御ユニット２３０と素子基板１０との高さ方向の距離が短くなっている。
【００７４】
また、負圧制御ユニット２３０とインク吐出口の形成面とにおける水頭差が相対的に小さくなるので、図１、図２に示すような記録ヘッド３０の傾斜角度が記録ヘッドごとに異なるような記録ユニット３へ好適に対応できる。これは、水等差を小さくできるため、複数の記録ヘッド３０を異なる傾斜角で用いても、各素子基板のインク吐出口に加わる負圧差を低減できるためである。また、負圧制御ユニット２３０から素子基板１０までの距離が小さくなることで、その間の流抵抗が小さくなり、液体（インク）の流量変化による圧損差も小さくなり安定な負圧制御が行える点でも好ましい。
【００７５】
さらに、図６（ｂ）は、記録ヘッド３０内部での実際のインクの流れを示している。長尺状の流路部材６０内には、記録ヘッド３０の長手方向に伸びる一組の共通流路（共通供給流路）２１１と共通流路（共通回収流路）２１２とが設けられている。共通流路２１１と共通流路２１２は互いに対向する方向に液体（インク）が流れるように構成されており、夫々の流路の上流側にはフィルタ２２１が設けられ、接続部１１１等から侵入する異物をトラップする。
【００７６】
このように、共通流路２１１と共通流路２１２は互いに対向する方向に液体を流すことで、記録ヘッド３０内の長手方向における温度勾配が軽減される。
【００７７】
共通流路２１１と共通流路２１２の下流側には、それぞれ負圧制御ユニット２３０が接続される。また、共通流路２１１の途中には複数の個別流路（個別供給流路）２１３ａへの分岐部があり、共通流路２１２の途中には複数の個別流路（個別回収流路）２１３ｂへの分岐部がある。個別流路２１３ａと個別流路２１３ｂは複数の流路部材５０内に形成されており、夫々の個別流路は、素子基板１０の裏面に設けられた開口部（不図示）と連通している。
【００７８】
図６（ｂ）に、ＨとＬで示した負圧制御ユニット２３０は、高圧側（Ｈ）の負圧制御ユニットと、低圧側（Ｌ）の負圧制御ユニットである。それぞれの負圧制御ユニット２３０は、相対的に高（Ｈ）、低（Ｌ）の負圧で、負圧制御ユニット２３０よりも上流側の圧力を制御するように設定された背圧型圧力調整機構である。共通流路２１１は負圧制御ユニット２３０（高圧側）と接続され、共通流路２１２は負圧制御ユニット２３０（低圧側）と接続され、これにより共通流路２１１と共通流路２１２の間には差圧が発生する。その差圧によって、液体が共通流路２１１から個別流路２１３ａ、素子基板１０内の各インク吐出口（不図示）、個別流路２１３ｂを順に通過して共通流路２１２へと流れる。
【００７９】
また、図６（ａ）に示した構成から分かるように、記録ヘッド３０は複数のユニットや部材からなるモジュール構成である。さて、図６（ｃ）に示すように、個々のモジュールは、流路部材５０、素子基板１０、フレキシブル配線基板４０から構成されている。この実施形態では、素子基板１０が直接、流路部材５０に接続される。流路部材６０に設けられた共通流路２１１は、その上面に形成される連通口６１Ａから、流路部材５０の下面に形成される個別連通口５３を介して、個別流路２１３ａに供給される。その後、液体は、素子基板１０の圧力室（不図示）を経由して個別流路２１３ｂ、個別連通口５３、連通口６１Ａを順に経由して共通流路２１２へと回収される。
【００８０】
ここで、流路部材５０の下面（流路部材６０側の面）にある個別連通口５３は流路部材５０の上面に形成される連通口６１Ａに対して十分大きな開口部を有する。この構成により 、各モジュールを流路部材６０上にマウントする際に位置がずれても、２つの流路部材５０、６０の間で確実に連通が行われるので、ヘッド製造時の歩留まりが向上しコストダウンが図られる。
【００８１】
［記録ヘッドとバッファタンクとの間のインク循環機構］
図７は、記録ヘッド３０とバッファタンクとの間のインク循環機構を示す図である。なお、図７において、既に図６を参照して説明したのと同じ構成要素には同じ参照番号や参照記号を付し、その説明は省略する。なお、このインク循環機構をインク供給装置ということもある。
【００８２】
図７に示されるように、本実施形態におけるインク供給機構には５つのポンプ６１〜６５が用いられる。インクを貯留する貯留部ＴＫは、この実施形態では、２つのタンク（メインタンクＴＫ１、バッファタンクＴＫ２）から構成され、バッファタンクＴＫ２が記録ヘッド３０と接続され、バッファタンクＴＫ２と記録ヘッド３０との間でインクが循環する。一方、メインタンクＴＫ１とバッファタンクＴＫ２の間の流路にはポンプ６１が備えられ、ポンプ６１によりメインタンクＴＫ１よりバッファタンクＴＫ２に適宜、インクが補充される。なお、メインタンクＴＫ１とバッファタンクＴＫ２との容量については特に限定するものではなく、大きさの関係性も特に限定するものではない。
【００８３】
図１で言及した流路６ａは、図７に示されているように、メインタンクＴＫ１とバッファタンクＴＫ２の間の流路７１と、バッファタンクＴＫ２と記録ヘッド３０の間では４つの流路７２〜７５とから構成される。そして、流路７２〜７５にはポンプ６２〜６５がそれぞれ備えられる。
【００８４】
インク循環機構は、４つのポンプ６２〜６５の駆動を制御することでインク循環方向を切り替えることができる。
【００８５】
図８は記録ヘッド内のインクの循環を説明する図である。インクを循環させる場合、上述のようにポンプ６２とポンプ６５を駆動し、ポンプ６３とポンプ６４を停止する。この場合、流路７４側の負圧制御ユニット２３０として動作する減圧弁は閉じられ、流路７５側の負圧制御ユニット２３０として動作する減圧弁は開けられている。従って、図８に示すように、インクは流路７２を経てフィルタ２２１を通過して共通流路２１１に達し、個別流路２１３ａを経て、素子基板１０の各ノズルに供給され、個別流路２１３ｂを経て共通流路２１２から流路７５に戻る。
【００８６】
同様に、ポンプ６３とポンプ６４を駆動し、ポンプ６２とポンプ６５を停止する。この場合、流路７５側の負圧制御ユニット２３０として動作する減圧弁は閉じられ、流路７４側の負圧制御ユニット２３０として動作する減圧弁は開けられている。その結果、インクは流路７３を経てフィルタ２２１を通過して共通流路２１２に達し、個別流路２１３ｂを経て、素子基板１０の各ノズルに入り、個別流路２１３ａを経て共通流路２１１から流路７４に戻る。
【００８７】
このように、記録ヘッド３０内でのインクの循環が行われる。なお、上記において、２つの方向にインクが循環する構成の記録ヘッドの例を示したが、これに限定するものではなく、一方向のみ循環可能な記録ヘッドを用いてもよい。
【００８８】
＜第１の実施形態＞
以下、本発明の第１の実施形態について、図面を用いて説明する。
【００８９】
［濃度測定部］
以下、本発明に係るインクジェット記録装置に設けられる、インクの濃度を測定するための濃度測定部の構成例について、図を用いて説明する。
【００９０】
図９は、本実施形態に係る濃度測定部の概略構成を示す図である。濃度測定部は、図１に示した貯留部ＴＫの数に対応して複数が設けられる。
【００９１】
セル部９０１は、濃度を測定するインクを通過させるための流路が形成された、透明部材にて構成された部位である。セル部９０１は、例えば、石英などにより構成される。発光素子９０２は、光を照射する光源である。発光素子９０２は、測定部９０９からの指示に基づき、所定の光量にて光を照射する。発光素子９０２は、例えば、ＬＥＤなどで構成される。受光素子９０３は、セル部９０１を介して透過してきた光を受光する受光素子であり、セル部９０１を挟んで発光素子９０２に対向する位置に配置される。受光素子９０３にて受光した光量の情報（信号）は、測定部９０９へと渡される。受光素子９０３は、例えば、フォトダイオードなどで構成される。
【００９２】
流路９０４、９０５は、セル部９０１およびタンク９０６に接続され、インクが循環可能に構成されている。タンク９０６は、画像形成に用いられるインクが貯留された貯留部であり、図１に示した貯留部ＴＫに対応する。更に詳細には、図７に示したバッファタンクＴＫ２に対応する。バイパス流路９０７は、流路９０４と流路９０５とをつなぐ流路であり、設置されたバルブの開閉によりインクを流すことが可能となる。バイパス流路９０７は、例えば、セル部９０１におけるインクの置換時間の短縮や、濃度測定時の負圧の解消などを目的として用いる。ポンプ９０８は、インクを流路およびタンク９０６にて循環させるために制御される。
【００９３】
測定部９０９は、インクの濃度を測定する際に、発光素子９０２を制御し、所定の光量にて発光させる制御部として機能する。また、測定部９０９は、発光素子９０２にて照射した光に対応して、受光素子９０３にて受光した光量を取得し、その値に基づき、インクの濃度を導出する導出部としても機能する。なお、発光素子９０２による発光量、受光素子９０３による受光量、およびインクの濃度は、予め対応づけてその情報が保持されているものとする。ここでの対応関係は、インクの色毎に、例えば、ルックアップテーブルなどにより規定されているものとする。
【００９４】
図１０は、本実施形態に係るセル部９０１周辺の構成例を示す図である。
【００９５】
セル部９０１は、透明部材を用いて構成され、内部には、インクが流れる流路１００１が形成される。ここでは図の下側から上側に向かってインクが流れるような例を示している。発光素子９０２からの光が入射光として、インクが流れる所定の位置へ照射される。そして、その所定の位置を透過した透過光が受光素子９０３へと到達するように構成される。セル部９０１のインクが流れる流路において、所定の位置は、他の部分と比較して狭くなるように狭部が構成されている。ここで、セル部９０１における所定の位置（狭部）の幅Ｌ１（光路長）と、それ以外の位置の幅Ｌ２との関係は、インクの色や成分に応じて規定されているものとする。例えば、幅Ｌ１は、２０μｍ程度にて構成することができる。なお、濃度測定時における発光素子９０２による照射光の光量についても、幅Ｌ１やインクの色（透過度）との関係から規定される。ここでの、幅Ｌ１、Ｌ２は、インクが通過する流路における径を指すが、その断面は円形に限定するものではなく、他の形状であってもよい。
【００９６】
図１１は、本実施形態に係るインクの流路の全体概念を説明するための図である。上述したように、本実施形態に係るセル部９０１は、流路の一部が狭くなるように構成されているため、インクを循環（置換）させるための時間がかかったり、インクの滞留や異物の詰まりが生じたりする場合がある。そこで、本実施形態では、濃度測定部１１０１に関し２つの流路を設け、流路を切り替え可能な構成とすることで、この問題を解消する。なお、図１１では、説明を簡略化するために１色分の構成要素を示しているが、記録装置が対応するインクの色数（種類数）に応じて、図１１に示す組の構成要素が設けられるものとする。
【００９７】
記録ヘッド３０は、インクを吐出して画像形成を行う記録ヘッドである。画像形成に用いられるインクは、タンク９０６から供給される。また、記録ヘッド３０とタンク９０６とは、インクが循環するように構成されている。上述したように、タンク９０６は、図７に示すバッファタンクＴＫ２に対応する。
【００９８】
タンク９０６は、画像形成に用いられるインクが貯留された貯留部である。なお、タンク９０６内部には、インクを撹拌するための撹拌部（不図示）やインクの貯留量（残量）を検知するための検知部（不図示）などを備えてもよい。また、タンク９０６には、タンク９０６内の大気が流入・排出されるための大気連通口１１１０が設けられる。従って、通常、外気圧とタンク内の気圧とは同じ（もしくは、略同一）となるように構成される。
【００９９】
タンク９０６の周辺には、タンク９０６に対してインクを供給するためのインク供給タンク１１０２、タンク９０６に対して希釈水を供給するための希釈水供給タンク１１０３、及びポンプ１１０４、１１０５が設けられる。ポンプ１１０４は、図７に示したポンプ６１に対応する。
【０１００】
また、タンク９０６は、記録ヘッド３０との間にインクの流路が設けられており、その流路上には、タンク９０６と記録ヘッド３０との間でインクを循環させるためのポンプ１１０６、１１０７が設けられる。ここでは説明を簡略化するために２つのポンプ１１０６、１１０７を示しているが、これらは、図７に示したポンプ６２〜６５に対応している。記録ヘッド３０とタンク９０６とのインクの循環については、図６〜図８に示した通りである。
【０１０１】
インク供給タンク１１０２は、タンク９０６に貯留されたインクの量が減少した場合や、タンク９０６内のインクの濃度が低下した場合などに、タンク９０６に供給されるインクが貯留された供給部である。インク供給タンク１１０２からタンク９０６へのインクの供給は、制御部（不図示）からの指示に基づいて行われてもよいし、インク供給タンク１１０２が交換された際に行われてもよい。制御部（不図示）によりポンプ１１０４が駆動されることでインク供給タンク１１０２からタンク９０６に対してインクが供給される。また、インク供給タンク１１０２内部には、インクを撹拌するための撹拌部（不図示）やインクの貯留量を検知するための検知部（不図示）などを備えてもよい。インク供給タンク１１０２内のインクは、適時ユーザ等により補給される。
【０１０２】
希釈水供給タンク１１０３は、タンク９０６内のインクの濃度が上昇した場合などに、タンク９０６内のインクの濃度を調節するための希釈水が貯留された供給部である。希釈水としては、例えば、純水などが用いられる。タンク９０６内のインクの濃度は、外的環境や画像形成動作等により変動するため、希釈水を供給することで、適切な濃度に維持される。希釈水供給タンク１１０３からタンク９０６への希釈水の供給は、制御部（不図示）からの指示に基づいて行われてもよい。制御部（不図示）によりポンプ１１０５が駆動されることで希釈水供給タンク１１０３からタンク９０６に対して希釈水が供給される。また、希釈水供給タンク１１０３内部には、希釈水の貯留量を検知するための検知部（不図示）などを備えてもよい。希釈水供給タンク１１０３内の希釈水は、適時ユーザ等により補給される。
【０１０３】
濃度測定部１１０１は、タンク９０６内部のインクの濃度を検知するための部位である。濃度測定部１１０１は、図９に示した９０１〜９０３、９０９の構成に対応する。流路１１０８は、濃度測定部１１０１にて濃度を測定するインクが通過する流路である。流路１１０９は、濃度測定部１１０１にて濃度の検知を行わないインクが通過する流路である。流路１１０９は、図９に示したバイパス流路９０７に対応する。ポンプ９０８は、タンク９０６と、濃度測定部１１０１もしくは流路１１０９とにおいてインクを循環させるために制御される。
【０１０４】
［流路の切り替え］
図１２は、本実施形態に係る濃度測定部１１０１周辺のインクの流路の切り替えを説明するための図である。図１２において、破線は、インクの流れが無いことを意味する。
【０１０５】
図１２（ａ）は、図１１に示した構成において、濃度測定部１１０１（すなわち、セル部９０１）にインクを流している状態を示している。言い換えると、濃度測定部１１０１内のインクが置換されている状態である。この場合の、所定の時間単位におけるインクの流量をＱ１として説明する。
【０１０６】
図１２（ｂ）は、図１１に示した構成において、濃度測定部１１０１の内部の代わりに流路１１０９（すなわち、バイパス流路９０７）にインクを流している状態を示している。言い換えると、流路１１０９内のインクが置換されている状態である。この場合の、所定時間単位におけるインクの流量をＱ２として説明する。
【０１０７】
図１０を用いて説明したようにセル部９０１の一部は、インクの測定のために流路１００１上に狭部が設けられている。そのため、ポンプ９０８により同じ力でインクを循環させた場合には、図１２（ｂ）に示す流路の方が、流量が大きくなる。つまり、
Ｑ２＞Ｑ１
の関係が成り立つ。言い換えると、同じ量のインクを循環させるために要する時間が異なる。具体的には、図１２（ａ）に示す流路の方が同じ量のインクを循環させるために要する時間が長くなる。なお、ここでは、説明を簡単にするために、各流路の長さは同じであるとする。
【０１０８】
本実施形態では、インクの流路を切り替えることで、インクの濃度を適切に測定しつつ、循環に要する時間を短縮化する。
【０１０９】
［負圧の変化による流路の形状の変化］
図１３は、負圧の変化に伴い、セル部９０１の狭部の形状が変化する状態を説明するための図である。上述したように、インクをセル部９０１内にて循環させるために、ポンプを用いる。これにより、流路内に負圧が発生する。ここで、セル部９０１に設けた狭部（すなわち、濃度測定のための光を照射する位置）の形状に変化が生じる。
【０１１０】
図１３（ａ）は、ポンプが動作しておらず、負圧が生じていない状態の形状を示す。このとき、狭部の幅はＬ１であるとする。
【０１１１】
一方、図１３（ｂ）は、ポンプを動作させた結果、負圧が生じた状態の形状を示す。このとき、狭部の壁面が流路側に引き込まれる。このとき、狭部の最も引き込まれた位置の幅はＬ３であるとする。このときの幅の関係は、
Ｌ１＞Ｌ３
となる。
【０１１２】
この変化に伴って、同じインクを測定した場合、透過光の光量に変動が生じるため、測定結果に差異が生じることとなる。
【０１１３】
図１４は、上記の狭部の形状が変化した時点（ポンプを停止した時点）を０とし、その後の時間経過と、光路長および狭部を透過後の光量Ｉｏｕｔの関係を示したものである。ここで、狭部への入射光の光量Ｉｉｎは一定であるとする。図１４に示すように、時間の経過とともに光路長はＬ３からＬ２へと近づいていき、Ｔ３の時点でＬ２に達した後、この後は一定となる。また、光路長の変化に伴って、Ｉｏｕｔも変化していき、光路長の変化が無くなるＴ３以降は、Ｉｏｕｔも一定の値を示すようになる。
【０１１４】
［処理フロー］
図は、本実施形態に係るインクの濃度測定に係る制御のフローチャートを示す。本処理は、記録装置が備える制御部（例えば、メインコントローラ１３Ａ）が、記憶部に記憶されたプログラムを読み出して実行することにより実現される。
【０１１５】
Ｓ１５０１にて、制御部は、バルブ（不図示）の制御を行い、インクの流路がバイパス流路９０７側となるように制御する（図１２（ａ））。
【０１１６】
Ｓ１５０２にて、制御部は、ポンプ９０８を駆動させ、インクを循環させる。つまり、バイパス流路９０７内のインクと、タンク９０６内のインクとを置換させる。また、制御部は、ポンプ９０８の駆動開始に伴って、計時手段であるタイマー（不図示）を初期化および起動し、時間の計測を開始する。
【０１１７】
Ｓ１５０３にて、制御部は、ポンプ９０８の駆動を開始してから一定時間Ｔ１が経過したか否かを判定する。ここでの一定時間Ｔ１は、バイパス流路９０７内のインクの置換に要する時間として予め規定され、記録部等に保持されているものとする。また、ポンプ９０８の駆動を開始してから経過した時間は、計測されているものとする。一定時間Ｔ１が経過した場合（Ｓ１５０３にてＹＥＳ）Ｓ１５０４へ進み、一定時間Ｔ１が経過していない場合（Ｓ１５０３にてＮＯ）Ｓ１５０２へ戻り、ポンプ９０８の駆動を継続する。
【０１１８】
Ｓ１５０４にて、制御部は、ポンプ９０８を停止させる。さらに、制御部は、バルブ（不図示）の制御を行い、インクの流路が濃度測定部１１０１（セル部９０１）側になるように制御する（図１２（ｂ））。
【０１１９】
Ｓ１５０５にて、制御部は、ポンプ９０８を駆動させ、インクを循環させる。つまり、セル部９０１内のインクと、タンク９０６内のインクとを置換させる。また、制御部は、ポンプ９０８の駆動開始に伴って、タイマーを初期化および起動し、時間の計測を開始する。
【０１２０】
Ｓ１５０６にて、制御部は、ポンプ９０８の駆動を開始してから一定時間Ｔ２が経過したか否かを判定する。ここでの一定時間Ｔ２は、セル部９０１内のインクの置換に要する時間として予め規定され、記録部等に保持されているものとする。また、ポンプ９０８の駆動を開始してから経過した時間は、計測されているものとする。一定時間Ｔ２が経過した場合（Ｓ１５０６にてＹＥＳ）Ｓ１５０６へ進み、一定時間Ｔ２が経過していない場合（Ｓ１５０６にてＮＯ）Ｓ１５０７へ戻り、ポンプ９０８の駆動を継続する。
【０１２１】
Ｓ１５０７にて、制御部は、ポンプ９０８を停止させる。
【０１２２】
Ｓ１５０８にて、制御部は、タイマーを初期化した上で、タイマーによる時間の計測を開始させる。つまり、Ｓ１５０７におけるポンプ９０８を停止してから経過した時間の計測を開始する。
【０１２３】
Ｓ１５０９にて、制御部は、ポンプ９０８を停止してから一定時間Ｔ３が経過したか否かを判定する。一定時間Ｔ３は、図１４に示したように、狭部（光路長）の変形が終了するまでに要する時間として予め規定され、記憶部等に保持されているものとする。一定時間Ｔ３が経過した場合は（Ｓ１５０９にてＹＥＳ）Ｓ１５１０へ進み、一定時間Ｔ３が経過していない場合は（Ｓ１５０９にてＮＯ）経過するまで待機する。
【０１２４】
Ｓ１５１０にて、制御部は、タイマーを停止する。
【０１２５】
Ｓ１５１１にて、制御部は、濃度測定部１１０１によるインクの濃度測定を実施する。そして、本処理フローを終了する。
【０１２６】
なお、本実施形態にて規定される一定時間Ｔ１、Ｔ２、Ｔ３は、特性の異なるインクの種類等に応じて異なる値を用いてもよい。インクの特性としては、例えば、インクの粘度等が挙げられる。
【０１２７】
以上、本実施形態により、画像形成に用いられるインクの濃度を直接測定することで、検知における誤差を生じさせずに、より高い精度にて濃度の測定を行うことができる。また、負圧によるインクの流路に対する形状の変化に起因する測定誤差を考慮して、より精度の高い測定が可能となる。
【０１２８】
＜第２の実施形態＞
以下、本発明の第２の実施形態に係る構成について説明する。なお、第１の実施形態と重複する構成については、説明を省略する。
【０１２９】
第１の実施形態では、光路長の変化に着目して説明を行った。本実施形態では、セル部９０１の内部圧力の変化に着目した構成をついて説明を行う。セル部９０１における内部圧力が一定となった場合には、光路長も一定となる点を考慮して説明を行う。
【０１３０】
図１６は、ポンプを停止した時点を０とし、その後の経過時間と、セル部９０１内の圧力および狭部を透過後の光量Ｉｏｕｔの関係を示したものである。ここで、狭部への入射光の光量Ｉｉｎは一定であるとする。図１６に示すように、時間の経過とともに、セル部９０１内の圧力は上昇し、ある時点以降は一定となる。また、圧力の変化に伴って、Ｉｏｕｔも変化していき、圧力の変化が無くなった時点以降は、Ｉｏｕｔも一定の値を示すようになる。
【０１３１】
なお、本実施形態では、セル部９０１内における圧力を計測するための圧力測定手段としての圧力センサ（不図示）を備えているものとする。
【０１３２】
［処理フロー］
図１７は、本実施形態に係るインクの濃度測定に係る制御のフローチャートを示す。本処理は、記録装置が備える制御部（例えば、メインコントローラ１３Ａ）が、記憶部に記憶されたプログラムを読み出して実行することにより実現される。
【０１３３】
Ｓ１７０１〜Ｓ１７０７は、第１の実施形態にて説明した図１５のＳ１５０１〜Ｓ１５０７と同様であるため、説明は省略する。
【０１３４】
Ｓ１７０８にて、制御部は、圧力センサ（不図示）によりセル部９０１の内部の圧力を取得し、確認する。
【０１３５】
Ｓ１７０９にて、制御部は、Ｓ１７０８にて取得した圧力が閾値Ｐ０以上であるか否かを判定する。閾値Ｐ０以上である場合は（Ｓ１７０９にてＹＥＳ）Ｓ１７１０へ進み、閾値Ｐ０未満である場合は（Ｓ１７０９にてＮＯ）Ｓ１７０８へ戻り、処理を繰り返す。ここで、閾値Ｐ０は、予め規定され、記憶部等に保持されているものとする。なお、閾値Ｐ０は、図１６に示すように、必ずしもセル部９０１内の圧力が一定となる値を用いる必要はなく、濃度測定の速度等に応じて、規定してもよい。
【０１３６】
Ｓ１７１０にて、制御部は、濃度測定部１１０１によるインクの濃度測定を実施する。そして、本処理フローを終了する。
【０１３７】
以上、本実施形態の構成により、第１の実施形態と同様の効果を得ることが可能となる。
【０１３８】
＜第３の実施形態＞
以下、本発明の第３の実施形態に係る構成について説明する。なお、第１の実施形態と重複する構成については、説明を省略する。
【０１３９】
第１の実施形態では、光路長の変化に着目して説明を行った。本実施形態では、濃度測定を行った際の変化度合いに着目した構成について説明を行う。
【０１４０】
図１８は、ポンプを停止した時点を０とし、その後の経過時間と、セル部９０１の狭部を透過後の光量Ｉｏｕｔの関係を示したものである。ここで、セル部９０１の狭部への入射光の光量Ｉｉｎは一定であるとする。図１８に示すように、ポンプ９０８を停止してから、一定間隔ΔＴにて、インクの濃度測定を行ったとする。このとき、時間の経過とともに、Ｉｏｕｔは減少していくが、その減少の度合いは、小さくなっていく。つまり、Ｔ１とＴ２の減少の度合いは、Ｔ４とＴ５の減少の度合いよりも大きい。言い換えると、時間が経過するに従い、Ｉｏｕｔをより安定化させるために要する時間が多くなってしまう。なお、ある一定時間を経過した後は、Ｉｏｕｔは一定の値を示すようになる。
【０１４１】
本実施形態では、例えば、Ｉｏｕｔの値が一定になるまでに要する時間と、減少度合いとの関係を考慮し、減少度合いの変動が小さくなり、その変動の度合いが閾値以下となった場合には、その時点での測定結果を用いる。
【０１４２】
［処理フロー］
図１９は、本実施形態に係るインクの濃度測定に係る制御のフローチャートを示す。本処理は、記録装置が備える制御部（例えば、メインコントローラ１３Ａ）が、記憶部に記憶されたプログラムを読み出して実行することにより実現される。
【０１４３】
Ｓ１９０１〜Ｓ１９０７は、第１の実施形態にて説明した図１５のＳ１５０１〜Ｓ１５０７と同様であるため、説明は省略する。
【０１４４】
Ｓ１９０８にて、制御部は、タイマー（不図示）を初期化した上で、タイマーによる時間の計測を開始させる。つまり、Ｓ１９０７におけるポンプ９０８を停止してから経過した時間の計測を開始する。また、制御部は、濃度測定部１１０１による測定回数をカウントするためのカウンタを初期化する。カウンタの値および測定回数に対応する測定結果は、その都度、記憶部に保持されるものとする。
【０１４５】
Ｓ１９０９にて、制御部は、前回の測定から一定時間ΔＴが経過したか否かを判定する。初回の測定の場合は、ポンプ９０８を停止してから一定時間ΔＴが経過したか否かを判定する。ここでの一定時間ΔＴは、予め規定され、記憶部等に保持されているものとする。一定時間ΔＴが経過した場合は（Ｓ１９０９にてＹＥＳ）Ｓ１９１０へ進み、経過していない場合は（Ｓ１９０９にてＮＯ）一定時間ΔＴが経過するまで待機する。
【０１４６】
Ｓ１９１０にて、制御部は、濃度測定部によるインクの濃度測定を実施する。更に、カウンタを１インクリメントする。つまり、一定の時間間隔ごとに濃度測定が行われる。
【０１４７】
Ｓ１９１１にて、制御部は、今回測定した測定結果（すなわち、最新の測定結果）と前回測定した測定結果との差を算出する。そして、制御部は、差が閾値ΔＩ以内か否かを判定する。ここでの閾値ΔＩは、予め記載され、記憶部等に保持されているものとする。差が閾値ΔＩ以内である場合は（Ｓ１９１１にてＹＥＳ）Ｓ１９１２へ進み、閾値ΔＩより大きい場合は（Ｓ１９１１にてＮＯ）Ｓ１９１３へ進む。なお、初回の測定の場合は、ＮＯとして処理する。
【０１４８】
Ｓ１９１２にて、制御部は、タイマーを停止し、直近にて測定した濃度を出力値として決定する。そして、本処理フローを終了する。
【０１４９】
Ｓ１９１３にて、制御部は、カウンタの値を参照し、測定回数が閾値を超えたか否かを判定する。ここでの閾値は、予め規定され、記憶部等に保持されているものとする。測定回数が閾値を超えている場合は（Ｓ１９１３にてＹＥＳ）Ｓ１９１４へ進み、超えていない場合は（Ｓ１９１３にてＮＯ）Ｓ１９１５へ進む。
【０１５０】
Ｓ１９１４にて、制御部は、複数回の濃度測定を行っても適切な精度での測定ができなかったとして、タイマーを停止した上で、エラーを通知する。ここでの通知方法は特に限定するものでは無いが、例えば、ユーザーインターフェースを介して画面を表示してもよい。そして、本処理フローを終了する。
【０１５１】
Ｓ１９１５にて、制御部は、今回の測定値を記憶部に記憶する。また、制御部は、タイマーを初期化した上で、計時を継続する。つまり、直近の濃度測定を行ってからの経過時間の測定を開始する。
【０１５２】
なお、本実施形態にて規定される一定時間ΔＴ、閾値ΔＩ、測定回数に対する閾値は、特性の異なるインクの種類等に応じて異なる値を用いてもよい。
【０１５３】
以上、本実施形態の構成により、測定に要する経過時間と精度を考慮した、精度の高い濃度測定が可能となる。
【０１５４】
＜その他の実施形態＞
上記実施形態では、記録ユニット３が複数の記録ヘッド３０を有するが、一つの記録ヘッド３０を有してもよい。記録ヘッド３０はフルラインヘッドでなくてもよく、記録ヘッド３０を着脱自在に搭載するキャリッジをＹ方向に移動させながら記録ヘッド３０からインクを吐出してインク像を形成するシリアル方式であってもよい。
【０１５５】
記録媒体Ｐの搬送機構は、ローラ対によって記録媒体Ｐを挟持して搬送する方式等、他の方式であってもよい。ローラ対によって記録媒体Ｐを搬送する方式等においては、記録媒体Ｐとしてロールシートを用いてもよく、転写後にロールシートをカットして記録物Ｐ’を製造してもよい。
【０１５６】
上記実施形態では、転写体２を転写ドラム４１の外周面に設けたが、転写体２を無端の帯状に形成し、循環的に走行させる方式等、他の方式であってもよい。
【０１５７】
また、本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５８】
９０１…セル部、９０２…発光素子、９０３…受光素子、９０４、９０５…流路、９０６…タンク、９０８…ポンプ、９０９…測定部
【図１】
2019043094.tif 000003
【図２】
2019043094.tif 000004
【図３】
2019043094.tif 000005
【図４】
2019043094.tif 000006
【図５】
2019043094.tif 000007
【図６】
2019043094.tif 000008
【図７】
2019043094.tif 000009
【図８】
2019043094.tif 000010
【図９】
2019043094.tif 000011
【図１０】
2019043094.tif 000012
【図１１】
2019043094.tif 000013
【図１２】
2019043094.tif 000014
【図１３】
2019043094.tif 000015
【図１４】
2019043094.tif 000016
【図１５】
2019043094.tif 000017
【図１６】
2019043094.tif 000018
【図１７】
2019043094.tif 000019
【図１８】
2019043094.tif 000020
【図１９】
2019043094.tif 000021